(57)【要約】  【課題】ドリリングネジの生産性を向上させ、ドリリングネジを生産するためのローリングダイスの加工を容易にして加工コストが低減されるドリリングネジを得る。  【解決手段】本発明は上記課題に鑑み、一端にトランペット頭２２を有する同一径の長尺胴部に平行ネジ部２３を形成し、且つ、該平行ネジ部２３に続く中間テーパネジ部及び該中間ネジ部に続く小径平行ネジ部を設けずして前記平行ネジ部２３の先端から直接先端テーパネジ部２４が延設されて成り、且つ、前記平行ネジ部２３のネジ山高さを先端部分のみを細く形成し、更に、全長を従来のドリリングネジと略同じに形成したことを特徴をとするドリリングネジを提供する。【選択図】図１
2011208771.tif 000002
【特許請求の範囲】
【請求項１】
一端にトランペット頭を有する同一径の長尺胴部に平行ネジ部を形成し、且つ、該平行ネジ部に続く中間テーパネジ部及び該中間ネジ部に続く小径平行ネジ部を設けずして前記平行ネジ部の先端から直接先端テーパネジ部が延設されて成り、且つ、前記平行ネジ部のネジ山高さを先端部分のみを細く形成し、更に、全長を従来のドリリングネジと略同じに形成したことを特徴をとするドリリングネジ。
【発明の詳細な説明】
【技術分野】
【０００１】
この発明は、ドリリングネジに関するものであり、特に、軽量チャネル鋼等に石膏ボードを固定するためのドリリングネジに関するものである。
【背景技術】
【０００２】
従来、此種ドリリングネジは本願出願人が特開平１０−１５９８２１号として提案したものが知られている。
【０００３】
上記従来例を図３（ａ）（ｂ）に従って説明する。同図において、ドリリングネジ１は、頭部に十字溝２を設けたトランペツト頭３を有し、該トランペット頭３の下部に大径平行ネジ部４が形成され、更に、該大径平行ネジ部４の先端から中間テーパネジ部５が延設され、該中間テーパネジ部５の先端から小径平行ネジ部６が縮径されて設けられ、該小径平行ネジ部６の先端から先端テーパネジ部７が形成されている。
【０００４】
上記従来のドリリングネジの寸法は一例として、全長２６．５ｍｍ、トランペット頭３の外径は８ｍｍ、大径平行ネジ部４は外径３．５ｍｍ、小径平行ネジ部６は外径２．５ｍｍである。大径平行ネジ部４から先端テーパネジ部７の先端まで連続する二条ネジ山８は中間テーパネジ部５において１５度のテーパ角度を有し、先端テーパネジ部７においては２５度のテーパ角度となっている。又、大径平行ネジ部４の谷径は２．４ｍｍ、小径平行ネジ部６の谷径は１．７ｍｍである。
【０００５】
上記構成のドリリングネジ１を用いて打込み形空気駆動ネジ締め機によつて軽量チャネル鋼（板厚０．５ｍｍ又は０．８ｍｍ）石膏ボード（厚さ９．５ｍｍ又は１２．５ｍｍ）をネジ止めする際は図４に示すように打込み形空気駆動ネジ締め機のドライバ（図示せず）によってドリリングネジ１が石膏ボード９に打込まれ、先端テーパネジ部７が軽量チャネル鋼１０に穴を開穿し、通常は同図に示すように、小径ネジ部６が軽量チャネル鋼を貫通した状態で停止とする。次に、ネジ締め機のドライバがトランペット頭３の十字溝に嵌合してドリリングネジ１を回転すると、軽量チャネル鋼１０に嵌合しているドリリングネジ１のネジ山８によりドリリングネジ１に貫入方向の推進力が発生して軽量チャネル鋼１０の貫通穴を拡大しつつタッピングする。そして、図５に示すように、大径平行ネジ部４が軽量チャネル鋼１０を貫通し、トランペット頭３が石膏ボード９に進入して、トランペット頭３の上面が石膏ボード９の上面と面一となって回転を停止し、軽量チャネル鋼１０に石膏ボード９がネジ止めされる。斯くして、石膏ボード９の被覆紙１１の破断やネジ浮きが発生せず、石膏ボードを軽量チャネル鋼に迅速、且つ、確実に締結でき、締結不良発生の防止及び施行能率の向上に寄与できる。
【先行技術文献】
【特許文献】
【０００６】
特開平１０−１５９８２１号公報
【発明の開示】
【発明が解決しようとする課題】
【０００７】
上記従来例は、ドリリングネジによって石膏ボードを軽量チャネル鋼にネジ止めするとき、打込み時に破壊することなく、該軽量チャネル鋼に迅速、且つ、確実にネジ止めすることができるが、前記従来例のドリリングネジを製造するとき、ローリングダイスの谷部がネジ形状と同様に段付になっているため、ダイスの加工コストが嵩み、又、谷径が２段になっていることで、ローリング加工時のストレスが段付部分に発生し、小径平行ネジ部の胴部に欠落が発生してドリリングネジ生産の歩留りが悪化すると云う欠陥がある。
【０００８】
そこで、かかる欠陥を除去してドリリングネジの生産性を向上するために解決せられるべき技術的課題が生じるのであり、本発明は該課題を解決することを目的とする。
【課題を解決するための手段】
【０００９】
本発明は上記目的を達成するために提案されたものであり、一端にトランペット頭を有する同一径の長尺胴部に平行ネジ部を形成し、且つ、該平行ネジ部に続く中間テーパネジ部及び該中間ネジ部に続く小径平行ネジ部を設けずして前記平行ネジ部の先端から直接先端テーパネジ部が延設されて成り、且つ、前記平行ネジ部のネジ山高さを先端部分のみを細く形成し、更に、全長を従来のドリリングネジと略同じに形成したことを特徴をとするドリリングネジを提供する。
【００１０】
この構成によれば、本発明のドリリングネジは大径ネジ部の先端から直接先端テーパネジ部が延設されているので、石膏ボードを軽量チャネル鋼にネジ止める際は、上記従来例と同様に、先ず、打込み形空気駆動ネジ締め機のドライバによって石膏ボードに打込まれ、そして、先端テーパネジ部が軽量チャネル鋼に穴を開穿した状態で打込み動作を停止する。このときは平行ネジ部の先端部が該穴の口縁に位置した状態でドリリングネジの打込み動作が停止されることになる。次に、ネジ締め機のドライバをトランペット頭の十字溝に嵌合させ、そして、該ドリリングネジを螺回すると、該ドリリングネジのネジ山によりドリリングネジに貫入方向の推進力が発生して前記軽量チャネル鋼に開穿された穴を拡大しつつ平行ネジ部が軽量チャネル鋼を貫通してトランペツト頭が石膏ボードに進入し、トランペット頭の上面と石膏ボードの上面とが面一となった状態でドリリングネジの回転が停止され、軽量チャネル鋼に石膏ボードがネジ止めされる。このとき、平行ネジ部の先端部分のネジ山の高さがその上方へ形成されているネジ山の高さより細く形成されているため、該ドリリングネジを打込む際に、先端テーパネジ部によって開穿された軽量チャネル鋼の穴を平行ネジ部が貫通するとき、該穴は徐々に拡大され乍らネジ止め動作が実行される。
【００１１】
又、本発明のドリリングネジは、トランペット頭に続いて平行ネジ部及び該平行ネジ部の先端から直接に先端テーパネジ部を設けているので上記従来例と異なり、本発明のドリリングネジを製造するためのローリングダイスの加工が極めて簡易である。
【発明の効果】
【００１２】
本発明はトランペット頭に続いて平行ネジ部を設け、而も、該平行ネジ部は従来例の大径平行ネジ部及び中間テーパネジ部並びに小径平行ネジ部が省略され、直接に該平行ネジ部に先端テーパネジが延設され、且つ、全長は従来例と略同じに形成されているので、従来例と同様に石膏ボードを、軽量チャネル鋼にネジ止めでき、その効果も従来例で説明した効果と全く同一の効果を奏することができる。
【００１３】
又、本発明のドリリングネジを製造するために用いられるローリングダイスは、その谷部が本発明のドリリングネジの谷部形状に形成できる。従って、平行ネジ部と先端テーパネジとの間に中間テーパネジ部及び小径平行ネジ部を設けた従来例のように、ネジ部が数段に形成されていないので、ローリング加工時においてストレスが段付部分に発生して、例えば、小径平行ネジ部に欠落が生じて歩留まりが悪化すると云う欠陥を解消でき、且つ、ローリングダイスの加工コストも従来例のものに比し極めて低廉となり、而も、本発明のドリリングネジのロータリングダイスによる生産性が極めて向上する。
【図面の簡単な説明】
【００１４】
【図１】本発明はのドリリングネジを示し、（ａ）は平面図、（ｂ）は正面図。
【図２】図１のドリリングネジを用いて石膏ボードを軽量チャネル鋼にネジ止めした状態を示す断面図。
【図３】従来のドリリングネジを示し、（ａ）は平面図、（ｂ）は正面図。
【図４】図３のドリリングネジの使用状態を示し、打込み時の状態の一例を示す断面図。
【図５】図３のドリリングネジを図４の打込み状態から回転させて石膏ボードを軽量チャネル鋼にネジ止めした状態を示す断面図。
【発明を実施するための最良の形態】
【００１５】
本発明はドリリングネジを製造するためのローリングダイスの加工コストを低減し、且つ、従来の此種ドリリングネジと同様の効果を奏することができるドリリングネジを得るために、一端にトランペット頭を有する同一径の長尺胴部に平行ネジ部を形成し、且つ、該平行ネジ部に続く中間テーパネジ部及び該中間ネジ部に続く小径平行ネジ部を設けずして前記平行ネジ部の先端から直接先端テーパネジ部が延設されて成り、且つ、前記平行ネジ部のネジ山高さを先端部分のみを細く形成し、更に、全長を従来のドリリングネジと略同じに形成したことを特徴をとするドリリングネジ
を提供することにより実現した。    
【実施例１】
【００１６】
以下、本発明の好適な実施例を図１及び図２に従って説明する。
【００１７】
図１は本発明のドリリングネジ２０を示す。同図に示すように、本発明のドリリングネジ１は十字溝２１を設けたトランペット頭２２の下部に長尺の平行ネジ部２３を有し、該平行ネジ部２３の先端から直接先端テーパネジ部２４が延設されて成る。
【００１８】
而も、上記ドリリングネジ２０の全長は此種ドリリングネジの従来例と略同一であって、且つ、平行ネジ部２３の径は従来例の大径平行ネジ部の径と略同一であり、更に、該平行ネジ部２３の全長は上記従来例の大径平行ネジ部及び中間テーパネジ部並びに小径平行ネジ部を合算した長さに形成される。但し、少々の差異はあってもよい。
【００１９】
又、平行ネジ部２３のネジ山高さも従来例の此種ドリリングネジの大径平行ネジのネジ山高さと略同一であるが、唯、該平行ネジ部２３のネジ山高さと先端部（図１においてＬの部分）のみを細かく形成してある。之によって、本発明のドリリングネジ２０を用いて石膏ボード９を軽量チャネル鋼１０にネジ止めする際、先ず、打込み形空気駆動ネジ締め機のドライバによってドリリングネジ２０の頭部を押叩して先端テーパネジ部２４を石膏ボード９に打込み、そして、該先端テーパネジ部２４が下部に当接されている軽量チャネル鋼１０に到達し、更に、前記押叩を継続することによって該先端テーパネジ部２４が該軽量チャネル１０に穴を開穿した状態で押叩操作を停止する。次に、前記打込み形空気駆動ネジ締め機のドライバがトランペツト頭の十字溝２１に嵌合してドリリングネジ２０のネジ山によりドリリングネジ２０に貫入方向の推進力が発生して軽量チャネル鋼１０の前記穴を拡大して該ドリリングネジ２０の平行ネジ部２３が該軽量チャネル鋼１０を貫通し、そして、トランペット頭２２の上面が石膏ボード９の上面と面一となった時点でドリリングネジ２０の螺回動作を停止することにより、該ドリリングネジ２０によって石膏ボード９を軽量チャネル鋼１０にネジ止めすることになるが、本発明のドリリングネジ２０による該ネジ止めは、従来例の此種ドリリングネジによるネジ止めと全く同様にネジ止めすることが可能となる。而して、前述の先端テーパネジ部２４が軽量チャネル鋼１０に前記の穴を開け，続いて、ドリリングネジ２０の螺回動作に移行するとき、該平行ネジ部２３の先端のネジ山高さが該先端部上方のネジ山高さよりも細かく形成されているため、該先端テーパネジ部２４から平行ネジ部２３に移行して該ドリリングネジ２０の螺回動作による前記軽量チャネル鋼１０の穴にドリリングネジ２０の平行ネジ部２１を螺着させる操作が極めて円滑に実行されることができる。
【００２０】
又、前記平行ネジ部２の先端部に形成されるネジ山高形状は、先端に行くに従って順減されるように構成すれば、前記作用は一層顕著に現われる。
【００２１】
本発明のドリリングネジ２０はローリングダイス（図示せず）によって製造されるが、既に詳細に述べたようにトランペット頭２２に続き、従来の大径平行ネジに対応する外径を有する長尺の胴部にネジ部が形成されており、而も、之に続くネジ部としては先端テーパネジ部２４であるから、ローリングダイスの加工は前述したように極めて簡易であって加工コストが低減され、且つ、該ローリングダイスの加工性も良好であり、之によって生産される本発明ドリリングネジ２０は殆ど従来のように欠落部分が生ぜず、従って、ドリリングネジの歩留まりが高く生産効率が著しく向上する等、正に著大なる効果を奏する発明である。
【産業上の利用可能性】
【００２２】
本発明のドリリングネジは石膏ボードを軽量チャネル鋼にネジ止めするものの外、軟質材と硬質材とをネジ止めするためのその他のネジにも適用することができる。
【符号の説明】
【００２３】
２０：本発明のドリリングネジ
２１：十字溝
２２：トランペット頭  
２３：本発明のドリリングネジの平行ネジ部    
２４：本発明のドリリングネジの先端テーパネジ部
【図１】
2011208771.tif 000003
【図２】
2011208771.tif 000004
【図３】
2011208771.tif 000005
【図４】
2011208771.tif 000006
【図５】
2011208771.tif 000007